(57)【要約】【課題】複数の電話機を接続した場合にも、１台の通信装置で複数の電話番号を使い分けることが可能な通信装置の提供。【解決手段】通信装置は複数の電話番号を保持する保持部と、処理部とを備え、前記処理部は、電話機から入力された識別情報から特定を行った電話番号により、前記電話機から入力された発信先電話番号の発信先への発信を行うことにより、前記電話機と前記発信先との間の音声情報の授受を可能にする第一の通話可能化と、発信元からの前記複数の電話番号のうちの一つへの着信により、前記発信元と前記電話機との間の音声情報の授受を可能にする第二の通話可能化とを行う。【選択図】      図１
2018110349.tif 000002
【特許請求の範囲】
【請求項１】
複数の電話番号を保持する保持部と、処理部とを備え、
前記処理部は、
電話機から入力された識別情報から特定を行った電話番号により、前記電話機から入力された発信先電話番号の発信先への発信を行うことにより、前記電話機と前記発信先との間の音声情報の授受を可能にする第一の通話可能化と、
発信元からの前記複数の電話番号のうちの一つへの着信により、前記発信元と前記電話機との間の音声情報の授受を可能にする第二の通話可能化と
を行う、通信装置。
【請求項２】
前記発信先電話番号を表す情報を出力する出力部をさらに備える、請求項１に記載された通信装置。
【請求項３】
前記出力部が、前記特定を行った電話番号を表す情報を前記発信先電話番号と組み合わせた情報を含むナンバーディスプレイ用の信号を前記電話機に送付する、請求項２に記載された通信装置。
【請求項４】
前記特定を行った電話番号を表す情報を表示する表示部をさらに備える、請求項１乃至請求項３のうちのいずれか一に記載された通信装置。
【請求項５】
前記第二の通話可能化を行わせないための制止情報を入力し得る情報入力部をさらに備える、請求項１乃至請求項４のうちのいずれか一に記載された通信装置。
【請求項６】
前記情報入力部が、切替えにより制止禁止情報を入力し得るスイッチを備える、請求項５に記載された通信装置。
【請求項７】
前記複数の電話番号の各々について、前記第二の通話可能化を行うための条件を設定し得る、請求項１乃至請求項６のうちのいずれか一に記載された通信装置。
【請求項８】
前記第二の通話可能化を行わない場合に、前記発信元に対しメッセージを送付する、請求項７に記載された通信装置。
【請求項９】
二台以上の前記電話機を接続し得る、請求項１乃至請求項８のうちのいずれか一に記載された通信装置。
【請求項１０】
前記複数の電話番号の各々について、前記電話機のうちの前記第二の通話可能化を行うものを設定し得る、請求項９に記載された通信装置。
【発明の詳細な説明】
【技術分野】
【０００１】
本発明は、電話機を電話網に接続するための通信装置に関する。
【背景技術】
【０００２】
ＩＰネットワークと電話機との間に設置して、電話機の送受話音声信号とＩＰネットワーク上のパケットデータとを相互に変換するＶｏＩＰアダプタが知られている（例えば、特許文献１参照）。ここで、ＩＰはＩｎｔｅｒｎｅｔ  Ｐｒｏｔｏｃｏｌの略である。また、ＶｏＩＰは、Ｖｏｉｃｅ  ｏｖｅｒ  Ｉｎｔｅｒｎｅｔ  Ｐｒｏｔｏｃｏｌの略である。
【０００３】
ＶｏＩＰアダプタ装置は、一方を電話機に接続し、他方をＩＰネットワークに接続して使用される。ＶｏＩＰアダプタは、電話機から送話される音声信号をパケットデータに加工、ＩＰネットワーク上に送信して、通話先の電話機に伝える。一方、ＩＰネットワークからは通話先の電話機からの音声がパケットデータとして送信される。ＶｏＩＰアダプタは当該パケットデータを受信し、パケットを解除した音声信号に復元して、電話機に送る。これにより、当該電話機と通話先との間の相互通話が可能になる。
【０００４】
ここで、特許文献２及び４は、複数の識別番号から選択された識別番号データを基地局に対して通知し通信接続を確立する通信装置を開示する。
【０００５】
また、特許文献３は、受信した第１端末情報及び付加情報に基づいて他の通信端末に通知するための付加番号を特定し、当該付加番号により前記他の通信端末の呼出しを要求する、移動通信システムを開示する。
【先行技術文献】
【特許文献】
【０００６】
【特許文献１】特開２００４−１６５８１８号公報
【特許文献２】特開２０００−１１５３６７号公報
【特許文献３】特開２００５−３４０９６２号公報
【特許文献４】特開２００６−０５４９２５号公報
【発明の概要】
【発明が解決しようとする課題】
【０００７】
ここで、［背景技術］の項で説明した一般的なＶｏＩＰアダプタは、基地局に登録された電話番号を一つしか保持しない。そのため、複数の電話番号を使い分けたい場合には複数のＶｏＩＰアダプタを用いる必要がある。
【０００８】
また、特許文献２乃至４が開示する方法は、一台の電話機で複数の電話番号を使い分けることが可能とされている。しかしながら、当該方法は、電話機そのものが複数の電話番号を保持するので、複数の電話機を用いて複数の電話番号を使い分けることはできない。
【０００９】
本発明は、複数の電話機を接続した場合にも、１台の通信装置で複数の電話番号を使い分けることが可能な通信装置の提供を目的とする。
【課題を解決するための手段】
【００１０】
本発明の通信装置は、保持部と処理部とを備える。前記保持部は、複数の電話番号を保持する。前記処理部は、第一の通信可能化と第二の通信可能化とを行う。前記第一の通信可能化は、電話機から入力された発信先電話番号の発信先への発信を行うことにより、前記電話機と前記発信先との間の音声情報の授受を可能にする処理である。前記発信先への発信は、前記電話機から入力された識別情報から特定を行った電話番号により行われる。また、前記第二の通話可能化は、発信元からの前記複数の電話番号のうちの一つへの着信により、前記発信元と前記電話機との間の音声情報の授受を可能にする処理である。
【発明の効果】
【００１１】
本発明の通信装置は、複数の電話機を接続した場合にも、１台の通信装置で複数の電話番号を使い分けることが可能である。
【図面の簡単な説明】
【００１２】
【図１】本実施形態の通信装置をＩＰ電話網及び電話機と接続した例を表す概念図である。
【図２】本実施形態の通信装置の構成例を表す概念図である。
【図３】本実施形態の通信装置が保持する二つの電話番号と識別情報との対応情報の例を表す図である。
【図４】本実施形態の通信装置の発信時の動作例を表すイメージ図である。
【図５】本実施形態の通信装置の着信時の動作例を表すイメージ図である。
【図６】表示部の例を表すイメージ図である。
【図７】通話拒否ボタンを備える本実施形態の通信装置を表すイメージ図である。
【図８】本実施形態の通信装置が行う発信関連処理の処理フロー例を表す概念図である。
【図９】本実施形態の通信装置が行う着信関連処理の処理フロー例を表す概念図である。
【図１０】電話番号と識別情報との対応情報の例を表す図である。
【図１１】当該音声授受可能化条件の例を表す図である。
【図１２】本実施形態の通信装置の着信関連動作例を表すイメージ図である。
【図１３】二つの電話端子を備える本実施形態の通信装置のＩＰ電話網及び電話機への接続例を表す図である。
【図１４】本実施形態の通信装置の構成例を表す概念図である。
【図１５】電話機１６２と電話機１６１ａ及び１６１ｂとの接続の様子を表す図である。
【図１６】着信の際に音声授受可能化を行う対象の電話機の制限の設定例を表す図である。
【図１７】本発明の最小限の通信装置の構成を表すブロック図である。
【発明を実施するための形態】
【００１３】
＜第一実施形態＞
第一実施形態は、一台の電話機により複数の電話番号を使い分けることを可能にする通信装置に関する実施形態である。
［構成と動作］
図１は、本実施形態の通信装置の例である通信装置１４６を、ＩＰ電話網及び電話機と接続した例を表す図である。ここで、ＩＰは、Ｉｎｔｅｒｎｅｔ  Ｐｒｏｔｏｃｏｌの略である。
【００１４】
通信装置１４６は、例えば、通信装置１４６に接続された電話機１６１ａについて、ＩＰ電話網１５１を介して、ＩＰ電話網１５１に接続された電話機や通信装置との間の音声情報の授受による通話を可能にする装置である。通信装置１４６は、例えばＶｏＩＰアダプタと呼ばれる通信装置である。ここで、ＶｏＩＰは、Ｖｏｉｃｅ  ｏｖｅｒ  Ｉｎｔｅｒｎｅｔ  Ｐｒｏｔｏｃｏｌの略である。
【００１５】
通信装置１４６のＩＰ端子１１１は、ＩＰ電話網１５１に接続されている。
【００１６】
通信装置１４６の電話端子１４１ａは、電話機１６１ａに接続されている。
【００１７】
通信装置１４６は、異なる二つの電話番号を、通信装置１４６の電話番号として保持している。これらの電話番号は、ＩＰ電話網に接続された図示しない基地局に登録された電話番号である。当該基地局は、発信元及び発信先の電話番号が共に当該基地局に登録された電話番号である場合に、発信元と発信先との間の音声情報の授受を可能にする。
【００１８】
発信時において、電話機１６１ａは、上記二つの電話番号のうちのいずれかを識別し得る識別情報と発信先の電話番号とを組み合わせた送付情報（第一の送付情報）を通信装置１４６に送る。
【００１９】
通信装置１４６は、当該第一の送付情報を受けて、当該第一の送付情報に含まれる識別情報を用いて発信に用いる電話番号を選択する。通信装置１４６は、当該識別情報と通信装置１４６の電話番号との対応を表す対応情報を保持している。そして、通信装置１４６は、当該対応情報により前記選択を行う。そして、通信装置１４６は、選択した電話番号を発信元電話番号として、前記第一の送付情報に含まれる発信先電話番号に向けて、ＩＰ電話網１５１を介して、前述の基地局に向けて発信情報（第一の発信情報）を送る。そして、通信装置１４６は、当該第一の発信情報の前記基地局への送付により、図１に表すＩＰ端子１１１と電話端子１４１ａとの間の音声情報の授受を可能にする。以下において、音声情報の授受を可能にすることを「音声授受可能化」ということにする。すなわち、通信装置１４６は、電話機１６１ａによる発信先との通話を可能にする。
【００２０】
一方、発信元から前記基地局への発信を受けて前記基地局から通信装置１４６に発信情報（第二の発信情報）が送られる。そして、当該第二の発信情報に含まれる発信先の電話番号が上記二つの電話番号のいずれかである場合は、通信装置１４６は、当該第二の発信情報を受信する。そして、通信装置１４６は当該第二の発信情報に相当する送付情報（第二の送付情報）を電話機１６１ａに送る。
【００２１】
そして、電話機１６１ａが例えば受話器がとられる等の状態になると、当該状態を検出した通信装置１４６は第二の発信情報についての着信情報を前記基地局に送る。当該着信情報の前記発信元による受信により、図１に表すＩＰ端子１１１と電話端子１４１ａとの間の音声情報の授受可能化が図られる。そして、電話機１６１ａは発信先との通話が可能な状態になる。
【００２２】
通信装置１４６は、前記第二の発信情報を受けた場合、例えば、前記発信元が発信した、通信装置１４６の前記二つの電話番号のうちのいずれかを表す情報を表示させる。当該表示は、例えば、通信装置１４６が備える図示しない表示部への表示である。当該表示は、電話機が備える図示しない表示部への表示であっても構わない。
【００２３】
図２は、図１に表す通信装置１４６の例である通信装置１４６ａの構成を表す概念図である。
【００２４】
通信装置１４６ａは、制御処理部１０１と、表示部１０６と、ＩＰ端子１１１と、記録部１１２と、ＩＰ処理部１１６と、音声処理部１３１ａと、ＬＡＮ端子１３６と、電話端子１４１ａとを備える。ここで、ＬＡＮは、Ｌｏｃａｌ  Ａｒｅａ  Ｎｅｔｗｏｒｋの略である。
【００２５】
ＩＰ端子１１１及び電話端子１４１ａは、図１に表すＩＰ端子１１１及び電話端子１４１ａである。
【００２６】
ＩＰ処理部１１６は、ＩＰ端子１１１を介して図１に表すＩＰ電話網１５１から送られる情報を処理し、処理後の情報を制御処理部１０１に送る。当該処理は、例えば、ＩＰ端子１１１から送られたＩＰパケットのパケットを解除する処理である。
【００２７】
ＩＰ処理部１１６は、また、制御処理部１０１から送られた情報を処理し、処理後の情報を、ＩＰ端子１１１を介して、図１に表すＩＰ電話網１５１に送る。当該処理は、例えば、制御処理部１０１から送られた情報をＩＰパケットにする処理である。
【００２８】
制御処理部１０１は、ＩＰ処理部１１６から送られた情報について、当該情報が、前述の第二の発信情報であるかについての判定を行う。そして、制御処理部１０１は、当該第二の発信情報であることを判定した場合は、当該第二の発信情報に含まれる発信先電話番号が通信装置１４６ａの二つの電話番号のいずれかであるかの判定を行う。当該二つの電話番号は、記録部１１２により予め保持されている。制御処理部１０１は、記録部１１２から前記二つの電話番号を取得することにより前記判定を行う。
【００２９】
制御処理部１０１は、発信先の電話番号が二つの電話番号のいずれかであることを判定した場合は、前記第二の発信情報に対応する第二の送付情報を、音声処理部１３１ａ及び電話端子１４１ａを介して、図１に表す電話機１６１ａに送る。前記第二の送付情報を受けた電話機１６１ａは、受話器がとられる等により通話の準備ができた場合には、当該状態を表す情報を制御処理部１０１に送る。制御処理部１０１は、当該情報を受けて、着信情報をＩＰ処理部１１６及びＩＰ端子１１１を介して、前記基地局に送信する。
【００３０】
その後、制御処理部１０１は、電話機１６１ａと前記発信元との間の音声授受可能化を図る。当該授受には、ＩＰ処理部１１６から送られたデジタルの音声情報の音声処理部１３１ａへの送付が含まれる。また、当該授受には、音声処理部１３１ａから送られたデジタルの音声情報のＩＰ処理部１１６への送付が含まれる。制御処理部１０１は、ＩＰ処理部１１６や音声処理部１３１ａに対して送る情報に対しその他の処理を行っても構わない。
【００３１】
制御処理部１０１は、また、発信先の電話番号を表す情報の表示を、表示部１０６に行わせるための指示情報を表示部１０６に送る。制御処理部１０１は、当該指示情報に加えて、又は、当該指示情報に代えて、発信先の電話番号を表す情報の表示を指示する指示情報を、音声処理部１３１ａ及び電話端子１４１ａを介して、電話機１６１ａに送っても構わない。
【００３２】
一方、制御処理部１０１は、図１に表す電話機１６１ａから前述の第一の送付情報が送られた場合には、当該第一の送付情報に含まれる前述の識別情報から、発信に用いる通信装置１４６ａの電話番号を選択する。制御処理部１０１は、当該選択を、前記識別情報と前述の対応情報との照合により行う。そして、当該電話番号を発信元電話番号として、前記基地局に向けて前述の第一の発信情報を送る。
【００３３】
制御処理部１０１は、また、選択した発信元としての電話番号を表す表示を表示部１０６に行わせるための指示情報を表示部１０６に対して送る。
【００３４】
そして、制御処理部１０１は、前記第一の発信情報についての着信情報の到着を受けて、電話機１６１ａと前記発信先との間の音声授受可能化を図る。当該授受には、ＩＰ処理部１１６から送られたデジタルの音声情報の音声処理部１３１ａへの送付が含まれる。また、当該授受には、音声処理部１３１ａから送られたデジタルの音声情報のＩＰ処理部１１６への送付が含まれる。制御処理部１０１は、ＩＰ処理部１１６や音声処理部１３１ａに対して送る情報に対しその他の処理を行っても構わない。
【００３５】
制御処理部１０１は、また、ＬＡＮ端子１３６を介して図示しないパーソナルコンピュータ等の外部から入力された設定情報に従い、通信装置１４６ａの各部分が行う処理の処理条件を設定する。
【００３６】
表示部１０６は、制御処理部１０１が指示する情報を表示する。表示部１０６は、当該表示に加えて又は当該表示に代えて、制御処理部１０１が指示する情報を音声等により出力しても構わない。
【００３７】
記録部１１２は、制御処理部１０１が指示する情報を、制御処理部１０１に送る。記録部１１２は、また、制御処理部１０１が指示する情報を記録する。
【００３８】
記録部１１２は、通信装置１４６ａの前述の二つの電話番号を保持する。記録部１１２は、また、制御処理部１０１に前述の処理を実行させるためのプログラムを保持する。制御処理部１０１は、当該プログラムを記録部１１２から読み込むことにより前述の処理を実行する。
【００３９】
音声処理部１３１ａは、制御処理部１０１から送られるデジタルの情報をアナログの情報に変換する。当該デジタルの情報には、前述の第二の送付情報や音声情報が含まれる。音声処理部１３１ａは、当該デジタルの情報が符号化された情報の場合には、当該符号化された情報を復号した上で、アナログの情報に変換する。音声処理部１３１ａは、処理後のアナログの情報を、電話端子１４１ａを経由して図１に表す電話機１６１ａに送る。
【００４０】
音声処理部１３１ａは、また、電話機１６１ａから電話端子１４１ａを経由して送られたアナログの情報をデジタルの情報に変換する。当該アナログの情報には、前述の第一の送付情報や音声情報が含まれる。音声処理部１３１ａは、当該アナログの情報が音声情報の場合には、当該音声情報をデジタルの情報に変換した上で当該デジタルの情報に対して符号化を行う。音声処理部１３１ａは、処理後のデジタルの情報を、制御処理部１０１に送る。
【００４１】
図３は、図１に表す通信装置１４６が保持する二つの電話番号と、前述の識別情報との対応情報の例を表す図である。図３に表す対応情報例は、０３から始まる電話番号を１＃の識別情報と、０５０から始まる電話番号を２＃の識別情報と、それぞれ対応させたものである。
【００４２】
図４は、図１に表す通信装置１４６の発信時の動作例を表すイメージ図である。当該動作に用いられる対応情報は図３に表すものとする。
【００４３】
電話機１６１ａに、１＃０４５ＹＹＹＹＹＹＹが入力（ダイヤル）されたとする。すると、電話機１６１ａから通信装置１４６に対して、１＃０４５ＹＹＹＹＹＹＹを含む前述の第一の送付情報が送られる。
【００４４】
通信装置１４６は、当該第一の送付情報を、識別情報である１＃と発信先電話番号である０４５ＹＹＹＹＹＹＹとに分離する。通信装置１４６は、当該分離を、＃の存在により、＃以前の情報が識別情報であることを判定することにより行う。
【００４５】
そして、通信装置１４６は、図３に表す対応情報により、１＃の識別情報に対応する通信装置１４６の電話番号である０３ＸＸＸＸＸＸＸを選択する。そして、通信装置１４６は、発信元電話番号を０３ＸＸＸＸＸＸＸ、発信先電話番号を０４５ＹＹＹＹＹＹＹとした第一の発信情報を、ＩＰ電話網１５１経由で、前記基地局に向けて発信する。
【００４６】
その後、電話機１６２（又は電話機１６２に接続された通信装置）から前記基地局に送られた情報に基づき、前記基地局から通信装置１４６に着信情報が送られた場合には、電話機１６１と電話機１６２との間の通話が可能になる。
【００４７】
また、電話機１６１ａに、２＃０４５ＹＹＹＹＹＹＹが入力（ダイヤル）されたとする。すると、電話機１６１ａから通信装置１４６に対して、２＃０４５ＹＹＹＹＹＹＹを含む前述の第一の送付情報が送られる。
【００４８】
通信装置１４６は、当該第一の送付情報を、識別情報である２＃と発信先電話番号である０４５ＹＹＹＹＹＹＹとに分離する。通信装置１４６は、当該分離を、＃の存在により、＃以前の情報が識別情報であることを判定することにより行う。
【００４９】
そして、通信装置１４６は、図３に表す対応情報により、２＃の識別情報に対応する通信装置１４６の電話番号である０５０ＸＸＸＸＸＸ１を選択する。そして、通信装置１４６は、発信元電話番号を０５０ＸＸＸＸＸＸ１、発信先電話番号を０４５ＹＹＹＹＹＹＹとした第一の発信情報を、ＩＰ電話網１５１経由で、前記基地局に向けて発信する。そして、電話機１６２は、当該第一の発信情報による情報を前記基地局から着信する。
【００５０】
その後、電話機１６２（又は電話機１６２に接続された通信装置）から前記基地局に送られた情報に基づき、前記基地局から通信装置１４６に着信情報が送られた場合には、電話機１６１と電話機１６２との間の通話が可能になる。
【００５１】
図５は、通信装置１４６の着信時の動作を表すイメージ図である。
【００５２】
電話機１６２から、０３ＸＸＸＸＸＸＸ宛てに発信されたとする。発信元である電話機１６２の電話番号は、０４５ＹＹＹＹＹＹＹである。電話機１６２からは、発信先電話番号を０３ＸＸＸＸＸＸＸ、発信元電話番号を０４５ＹＹＹＹＹＹＹとする発信情報が前記基地局に送られる。そして、前記基地局は、当該発信情報を受けた前述の第二の発信情報を通信装置１４６に送る。当該第二の発信情報は、通信装置１４６に到着する。
【００５３】
通信装置１４６は、当該到着を受けて、発信先電話番号である０３ＸＸＸＸＸＸＸを図３に表す対応情報と照合し、識別情報である１＃を選択する。そして、通信装置１４６は、識別情報の１＃と発信元電話番号である０４５ＹＹＹＹＹＹＹとを組み合わせた第二の送付情報である、１＃０４５ＹＹＹＹＹＹＹを、電話機１６１ａに送る。
【００５４】
電話機１６１ａは、前記第二の送付情報を受けて、前記第二の送付情報である１＃０４５ＹＹＹＹＹＹＹをナンバーディスプレイ１６６に表示する。電話機１６１ａの利用者は、ナンバーディスプレイ１６６の表示により、当該送付情報に係る発信先が識別情報１＃の電話番号宛であることと、当該送付情報に係る発信元が０４５ＹＹＹＹＹＹＹであることを知ることができる。
【００５５】
その後、当該利用者が電話機１６１ａの受話器をとる等の処置を行った場合には、電話機１６２と電話機１６１との間の通話が可能になる。
【００５６】
次に、図５に表す電話機１６２から、０５０ＸＸＸＸＸＸ１宛てに発信されたとする。発信元の電話番号は、０４５ＹＹＹＹＹＹＹである。電話機１６２は、発信先電話番号を０５０ＸＸＸＸＸＸ１、発信元電話番号を０４５ＹＹＹＹＹＹＹとする発信情報を前記基地局に送る。前記基地局は、当該発信情報を受けた前述の第二の発信情報を通信装置１４６に送る。当該第二の発信情報は、通信装置１４６に到着する。
【００５７】
通信装置１４６は、当該到着を受けて、発信先電話番号である０５０ＸＸＸＸＸＸ１を図３に表す対応情報と照合し、識別情報である２＃を選択する。そして、通信装置１４６は、識別情報の２＃と発信元電話番号である０４５ＹＹＹＹＹＹＹとを組み合わせた第二の送付情報である、２＃０４５ＹＹＹＹＹＹＹを、電話機１６１ａに送る。
【００５８】
電話機１６１ａは、前記第二の送付情報を受けて、前記第二の送付情報である２＃０４５ＹＹＹＹＹＹＹをナンバーディスプレイ１６６に表示する。電話機１６１ａの利用者は、ナンバーディスプレイ１６６の表示により、当該送付情報に係る発信先が識別情報２＃の電話番号宛であることと、当該送付情報に係る発信元が０４５ＹＹＹＹＹＹＹであることを知ることができる。
【００５９】
その後、当該利用者が電話機１６１ａの受話器をとる等の処置を行った場合には、電話機１６２と電話機１６１ａとの間の通話が可能になる。
【００６０】
上記の例においては、電話機１６１ａの利用者は、通信装置１４６は、電話機１６２は通信装置１４６が保持する二つの電話番号のうちのいずれ宛てに発信したかを、電話機１６１ａのナンバーディスプレイの表示により知ることができる。
【００６１】
図６は、図２に表す表示部１０６の例である表示部１０６ａを表すイメージ図である。
【００６２】
表示部１０６ａは、通信装置１４６の側面（例えば正面側の側面）に設置される。そして、表示部１０６ａは、発光部１０７ａ及び１０７ｂを備える。発光部１０７ａの右方には、ＴＥＬ１の文字が表示されている。また、発光部１０７ｂの右方には、ＴＥＬ２の文字が表示されている。
【００６３】
通信装置１４６は、図３に表す１＃の識別情報に相当する電話番号を発信先とする前述の第二の発信情報を受けた場合には、ＴＥＬ１の左方に位置する発光部１０７ａが点灯する。
【００６４】
一方、通信装置１４６が、図３に表す２＃の識別情報に相当する電話番号を発信先とする前述の第二の発信情報を受けた場合には、ＴＥＬ２の左方に位置する発光部１０７ｂが点灯する。
【００６５】
そして、通信装置１４６が、図３に表す１＃の識別情報に相当する電話番号を発信元として他の電話機又は他の通信装置に対して発信するときは、ＴＥＬ１の左方に位置する発光部１０７ａが点灯する。
【００６６】
一方、通信装置１４６が、図３に表す２＃の識別情報に相当する電話番号を発信元として他の電話機又は他の通信装置に対して発信するときは、ＴＥＬ２の左方に位置する発光部１０７ｂが点灯する。
【００６７】
図６に表す例によると、電話機１６１ａの利用者は、通信装置１４６が、電話機１６２は通信装置１４６が保持する二つの電話番号のうちのいずれを発信元としたか又は前記いずれに着信したかを、表示部１０６ａの表示により知ることができる。
【００６８】
通信装置１４６は、通話拒否機能を備えても構わない。
【００６９】
図７は、電話機１６１ａが通話を拒否する機能を実現するための通話拒否ボタンを備える通信装置１４６を表すイメージ図である。
【００７０】
図７に表す通信装置１４６は、通話拒否ボタン１０８を備える。
【００７１】
通信装置１４６の利用者は、表示部１０６ａの表示内容により通信装置１４６が受けた第二の発信情報が、二つの電話番号のうちのいずれの電話番号宛であるかを知る。そして、通信装置１４６に、知った電話番号による通話の可能化を行わせたくない場合は、図５に表す電話機１６１ａの利用者等は、通話拒否ボタン１０８を押下する。すると、通信装置１４６は、当該第二の発信情報を受信し、当該第二の発信情報の送付元との間の音声授受可能化は行う。しかしながら、通信装置１４６は、通信装置１４６と電話機１６１ａとの間の音声授受可能化は行わない。そして、通信装置１４６は、例えば、通信装置１４６が予め保持する、メッセージを表す音声情報を、前記発信元に対して送付する。当該メッセージは、例えば、電話に出ることができないという趣旨の内容である。
【００７２】
通信装置１４６が図２に表す通信装置１４６ａである場合には、通話拒否ボタン１０８の押下により、通話拒否を表す情報が制御処理部１０１に送られる。当該通話拒否を表す情報は、例えば、通話拒否ボタン１０８の押下により、オフ状態のスイッチがオン状態になることにより発生する。そして、前段落で説明した処理は、制御処理部１０１が行う。また、上述のメッセージを表す情報は、記録部１１２が予め保持している。
【００７３】
図７に表す通信装置１４６の例によると、通信装置１４６の利用者は、通話拒否ボタン１０８を押下することにより、容易に、電話機１６１ａへの通話拒否を行うことができる。図７に表すように表示部１０６ａを備える場合には、当該利用者は、表示部１０６ａの表示によりいずれの電話番号宛てに発信されたものであるかを認識した上で、上述の通話拒否を行うことができる。
［処理フロー］
図８は、図１に表す通信装置１４６が行う発信関連処理の処理フロー例を表す概念図である。
【００７４】
通信装置１４６が図２に表す通信装置１４６ａである場合は、図８に表す処理は、制御処理部１０１が行う。また、図８に表す処理においては、前述の対応情報が図３に表すものであることを前提としている。
【００７５】
通信装置１４６は、例えば、外部からの開始情報の入力により、図８に表す処理を開始する。当該開始情報は、例えば、通信装置１４６の電源のオンや、通信装置１４６を動作させるプログラムの立ち上げによりもたらされる情報である。
【００７６】
そして、通信装置１４６は、Ｓ１００の処理として、図８に表す処理を終了するかについての判定を行う。通信装置は、当該判定を、例えば外部からの終了情報の入力の有無により行う。当該終了情報は、例えば、通信装置１４６の電源のオフや、通信装置１４６を動作させるプログラムの立ち下げによりもたらされる情報である。
【００７７】
通信装置１４６は、Ｓ１００の処理による判定結果がｙｅｓの場合は、図８に表す処理を終了する。
【００７８】
一方、通信装置１４６は、Ｓ１００の処理による判定結果がｎｏの場合は、Ｓ１０１の処理を行う。
【００７９】
通信装置１４６は、Ｓ１０１の処理を行う場合は、同処理として、発信可能かについての判定を行う。当該発信は、図１に表すＩＰ電話網１５１を通じての、ＩＰ電話網１５１に接続された電話機や通信装置への発信である。通信装置１４６は、当該判定を、例えば、既に話中であるかや、話中であるにしても割り込み等により発信可能な状態であるかを判定することにより行う。
【００８０】
通信装置１４６は、Ｓ１０１の処理による判定結果がｙｅｓの場合はＳ１０２の処理を行う。
【００８１】
一方、通信装置１４６は、Ｓ１０１の処理による判定結果がｎｏの場合は、Ｓ１００の処理を再度行う。
【００８２】
通信装置１４６は、Ｓ１０２の処理を行う場合は、同処理として、図１に表す電話機１６１ａから前述の第一の送付情報を受けたかについての判定を行う。
【００８３】
通信装置１４６は、Ｓ１０２の処理による判定結果がｙｅｓの場合は、Ｓ１０３の処理を行う。
【００８４】
一方、通信装置１４６は、Ｓ１０２の処理による判定結果がｎｏの場合は、Ｓ１００の処理を再度行う。
【００８５】
通信装置１４６は、Ｓ１０３の処理を行う場合は、同処理として、Ｓ１０２の処理により受けたことを判定した第一の送付情報に前述の識別情報が組み合わされているかの判定を行う。
【００８６】
通信装置１４６は、Ｓ１０３の処理による判定結果がｙｅｓの場合は、Ｓ１０４の処理を行う。
【００８７】
一方、通信装置１４６は、Ｓ１０３の処理による判定結果がｎｏの場合は、Ｓ１０５の処理を行う。
【００８８】
通信装置１４６は、Ｓ１０４の処理を行う場合は、同処理として、Ｓ１０３の処理により第一の送付情報に組み合わされていることを判定した識別情報が１＃であるかについての判定を行う。
【００８９】
通信装置１４６は、Ｓ１０４の処理による判定結果がｙｅｓの場合は、Ｓ１０５の処理を行う。
【００９０】
一方、通信装置１４６は、Ｓ１０４の処理による判定結果がｎｏの場合は、Ｓ１０６の処理を行う。
【００９１】
通信装置１４６は、Ｓ１０５の処理を行う場合は、同処理として、図３に表す対応情報において１＃に対応する電話番号を発信元電話番号として選択する。
【００９２】
そして、通信装置１４６は、Ｓ１０７の処理を行う。
【００９３】
一方、通信装置１４６は、Ｓ１０６の処理を行う場合は、同処理として、図３に表す対応情報において２＃に対応する電話番号を発信元電話番号として選択する。
【００９４】
そして、通信装置１４６は、Ｓ１０７の処理を行う。
【００９５】
通信装置１４６は、Ｓ１０７の処理を行う場合は、同処理として、Ｓ１０５又はＳ１０６の処理で選択した電話番号を発信元とし、Ｓ１０２の処理により受けたことを判定した第一の送付情報に含まれる発信先電話番号に向けての発信を前述の基地局に行う。
【００９６】
そして、通信装置１４６は、Ｓ１０８の処理として、発信を終了するかについての判定を行う。通信装置１４６は、当該判定を、例えば、外部からの終了情報の入力の有無を判定することにより行う。当該終了情報は、例えば、電話機１６１ａにおいて受話器がおろされる等により、電話機１６１ａから入力される。
【００９７】
通信装置１４６は、Ｓ１０８の処理による判定結果がｙｅｓの場合は、前述のＳ１００の処理を再度行う。
【００９８】
一方、通信装置１４６は、Ｓ１０８の処理による判定結果がｎｏの場合は、Ｓ１０９の処理を行う。
【００９９】
そして、通信装置１４６は、Ｓ１０９の処理として、Ｓ１０７の処理により発信した発信先についての着信情報を前記基地局から受けたかについての判定を行う。
【０１００】
通信装置１４６は、Ｓ１０９の処理による判定結果がｙｅｓの場合は、Ｓ１１１の処理を行う。
【０１０１】
一方、通信装置１４６は、Ｓ１０９の処理による判定結果がｎｏの場合は、Ｓ１０８の処理を再度行う。
【０１０２】
通信装置１４６は、Ｓ１１１の処理を行う場合は、同処理として、図１に表すＩＰ端子１１１と電話端子１４１ａとの間の音声授受可能化を行う。通信装置１４６が図２に表す通信装置１４６ａの場合は、当該音声授受可能化には、制御処理部が、ＩＰ処理部１１６及び音声処理部１３１ａの一方から受け取った音声情報を他方に送る処理が含まれる。ここで、ＩＰ処理部１１６及び音声処理部１３１ａにおける前述の動作を可能にする処理は、Ｓ１１１の処理の前に行われていることを前提としている。
【０１０３】
Ｓ１１１の処理が行われると、電話機１６１ａと発信先との間での通話が可能になる。
【０１０４】
そして、通信装置１４６は、Ｓ１１２の処理として、電話機１６１ａと発信先との間での通話を終了するかについての判定を行う。通信装置１４６は、当該判定を、例えば、外部からの通話終了情報の入力の有無を判定することにより行う。当該通話終了情報は、例えば、発信先や電話機１６１ａにおける受話器がおろされる等の操作により、前記基地局や電話機１６１ａから通信装置１４６に入力される通話切断情報である。
【０１０５】
通信装置１４６は、Ｓ１１２の処理による判定結果がｙｅｓの場合は、Ｓ１１３の処理を行う。
【０１０６】
一方、通信装置１４６は、Ｓ１１２の処理による判定結果がｎｏの場合は、Ｓ１１２の処理を再度行う。
【０１０７】
通信装置１４６は、Ｓ１１３の処理を行う場合は、同処理として、音声授受不能化処理を行う。通信装置１４６が図２に表す通信装置１４６ａの場合は、当該音声授受不能化処理には、制御処理部１０１が、ＩＰ処理部１１６及び音声処理部１３１ａの一方から受け取った音声情報を他方に送る処理の停止が含まれる。
【０１０８】
そして、通信装置１４６は、Ｓ１００の処理を再度行う。
【０１０９】
図９は、通信装置１４６が行う着信関連処理の処理フロー例を表す概念図である。
【０１１０】
なお、通信装置１４６が図２に表す通信装置１４６ａである場合は、図９に表す処理は、制御処理部１０１が行う。また、図９においては、前述の識別情報が図３に表すものであることを前提としている。
【０１１１】
通信装置１４６は、例えば、外部からの開始情報の入力により、図９に表す処理を開始する。当該開始情報は、例えば、通信装置１４６の電源のオンや、通信装置１４６を動作させるプログラムの立ち上げによりもたらされる情報である。
【０１１２】
そして、通信装置１４６は、Ｓ２００の処理として、図９に表す処理を終了するかについての判定を行う。通信装置１４６は、当該判定を、例えば外部からの終了情報の入力の有無により行う。当該終了情報は、例えば、通信装置１４６の電源のオフや、通信装置１４６を動作させるプログラムの立ち下げによりもたらされる情報である。
【０１１３】
通信装置１４６は、Ｓ２００の処理による判定結果がｙｅｓの場合は、図９に表す処理を終了する。
【０１１４】
一方、通信装置１４６は、Ｓ２００の処理による判定結果がｎｏの場合は、Ｓ２０１の処理を行う。
【０１１５】
通信装置１４６は、Ｓ２０１の処理を行う場合は、同処理として、着信可能かについての判定を行う。当該着信は、図１に表すＩＰ電話網１５１を通じての、ＩＰ電話網１５１に接続された電話機や通信装置からの着信である。通信装置１４６は、当該判定を、例えば、既に話中であるかや、話中であるにしても割り込み等により着信可能な状態であるかを判定することにより行う。
【０１１６】
通信装置１４６は、Ｓ２０１の処理による判定結果がｙｅｓの場合はＳ２０２の処理を行う。
【０１１７】
一方、通信装置１４６は、Ｓ２０１の処理による判定結果がｎｏの場合は、Ｓ２００の処理を再度行う。
【０１１８】
通信装置１４６は、Ｓ２０２の処理を行う場合は、前述の基地局置から、前述の第二の発信情報を受信したかについての判定を行う。
【０１１９】
通信装置１４６は、Ｓ２０２の処理による判定結果がｙｅｓの場合は、Ｓ２０３の処理を行う。
【０１２０】
一方、通信装置１４６は、Ｓ２０２の処理による判定結果がｎｏの場合は、Ｓ２００の処理を再度行う。
【０１２１】
通信装置１４６は、Ｓ２０３の処理を行う場合には、同処理として、Ｓ２０２の処理により受信したことを判定した第二の発信情報に含まれる発信先の電話番号が、図３に表す対応情報において、１＃の電話番号であるかについての判定を行う。
【０１２２】
通信装置１４６は、Ｓ２０３の処理による判定結果がｙｅｓの場合は、Ｓ２０６の処理を行う。
【０１２３】
一方、通信装置１４６は、Ｓ２０３の処理による判定結果がｎｏの場合は、Ｓ２０４の処理を行う。
【０１２４】
通信装置１４６は、Ｓ２０４の処理を行う場合は、同処理として、前記第二の発信情報に含まれる発信先の電話番号が、図３に表す対応情報において、２＃の電話番号であるかについての判定を行う。
【０１２５】
通信装置１４６は、Ｓ２０４の処理による判定結果がｙｅｓの場合は、Ｓ２０５の処理を行う。
【０１２６】
一方、通信装置１４６は、Ｓ２０４の処理による判定結果がｎｏの場合は、Ｓ２００の処理を再度行う。
【０１２７】
通信装置１４６は、Ｓ２０５の処理を行う場合は、同処理として、発信元電話番号に２＃を組み合わせたナンバーディスプレイ（ＮＤ）用の信号を作成し、当該ＮＤ用信号を、電話機１６１ａに送付する。当該送付を受けて、電話機１６１ａは発信元電話番号に２＃を組み合わせた記号をナンバーディスプレイ（ＮＤ）に表示する。
【０１２８】
そして、通信装置１４６は、Ｓ２０７の処理を行う。
【０１２９】
通信装置１４６は、Ｓ２０６の処理を行う場合は、同処理として、１＃を組み合わせたナンバーディスプレイ（ＮＤ）用の信号を作成し、当該ＮＤ用信号を、電話機１６１ａに送付する。当該送付を受けて、電話機１６１ａは発信元電話番号に１＃を組み合わせた記号をナンバーディスプレイ（ＮＤ）に表示する。
【０１３０】
そして、通信装置１４６は、Ｓ２０７の処理を行う。
【０１３１】
通信装置１４６は、Ｓ２０７の処理を行う場合は、同処理として、図１に表すＩＰ端子１１１と電話機１６１ａとの間での音声授受可能化を行う。通信装置１４６が図２に表す通信装置１４６ａの場合は、当該音声授受可能化処理には、制御処理部が、ＩＰ処理部１１６及び音声処理部１３１ａの一方から受け取った音声情報を他方に送る処理が含まれる。ここで、ＩＰ処理部１１６及び音声処理部１３１ａにおける動作を可能にする処理は、Ｓ２０７の処理の前に行われていることを前提としている。
【０１３２】
Ｓ２０７の処理が行われた状態で、電話機１６１ａにおいて例えば受話器が上げられる等の操作が行われた場合には、当該発信元と電話機１６１ａとの間の通話が可能になる。
【０１３３】
次に、通信装置１４６は、Ｓ２０８の処理として、通話を終了するかについての判定を行う。通信装置１４６は、当該判定を、例えば、外部からの通話終了情報の入力の有無を判定することにより行う。当該通話終了情報は、例えば、電話機１６１ａや発信元における受話器をおろす等の動作により、電話機１６１ａや前述の基地局から送られる通話切断情報である。
【０１３４】
通信装置１４６は、Ｓ２０８の処理による判定結果がｙｅｓの場合は、Ｓ２０９の処理を行う。
【０１３５】
一方、通信装置１４６は、Ｓ２０８の処理による判定結果がｎｏの場合は、Ｓ２０８の処理を再度行う。
【０１３６】
通信装置１４６は、Ｓ２０９の処理を行う場合は、同処理として、音声授受不能化処理を行う。通信装置１４６が図２に表す通信装置１４６ａの場合は、当該音声授受不能化処理には、制御処理部が、ＩＰ処理部１１６及び音声処理部１３１ａの一方から受け取った音声情報を他方に送る処理の停止が含まれる。
【０１３７】
そして、通信装置１４６は、Ｓ２００の処理を再度行う。
［効果］
図１に表す通信装置１４６は二つの電話番号を保持している。そして、通信装置１４６は当該二つの電話番号のうち電話機１６１ａにより入力された識別情報に対応するいずれかの電話番号を発信元として発信し、通話可能化を図ることができる。また、通信装置１４６は当該二つの電話番号のいずれを発信先として発信された場合に、着信し、通話可能化を図ることができる。そのため、通信装置１４６は、一台の通信装置により利用者が利用目的（例えば私用か社用（公用）か等）等により二つの電話番号を使い分けることを可能にする。そのため、通信装置１４６は、一台の通信装置を用いた場合における、例えば二つの利用目的に応じた通話料や通信履歴の管理を容易にする。
＜第二実施形態＞
第一実施形態においては、図１に表す通信装置１４６が、二つの異なる電話番号を保持する場合について説明した。しかしながら、通信装置１４６が保持する電話番号は３つ以上であっても構わない。第二実施形態は、図１の通信装置１４６が４つの電話番号を保持し、さらに所定の電話番号について通話可能な条件を設定する場合についての実施形態である。
【０１３８】
図１０は、通信装置１４６が４つの電話番号を保持する場合の、電話番号と識別情報との対応情報の例を表す図である。図１０に表す対応情報においては、１＃ないし４＃の識別情報のそれぞれは、この順に、０３ＸＸＸＸＸＸＸ、０５０ＸＸＸＸＸＸ１、０５０ＸＸＸＸＸＸ２、０５０ＸＸＸＸＸＸ３に対応づけられている。
【０１３９】
通信装置１４６は、各電話番号について、図１に表すＩＰ電話網５１からの着信についての、音声授受可能化を行うための条件を定めることもできる。当該音声授受可能化は、図１に表すＩＰ端子１１１と電話端子１４１ａとの間の音声授受可能化である。
【０１４０】
図１に表す通信装置１４６が三つ以上の電話番号を保持した場合、通信装置１４６は当該三つ以上の電話番号のうち電話機１６１ａにより入力された識別情報に対応するいずれかの電話番号を発信元として発信し、通話可能化を図ることができる。また、通信装置１４６は当該三つ以上の電話番号のいずれを発信先として発信された場合にも、着信し通話可能化を図ることができる。そのため、通信装置１４６は、一台の通信装置により利用者が利用目的により三つ以上の電話番号を使い分けることを可能にする。そのため、通信装置１４６は、一台の通信装置を用いた場合における、三つ以上の利用目的に応じた通話料や通信履歴の管理を容易にする。
【０１４１】
図１１は、通信装置１４６が保持する４つの電話番号のうちの２つについて音声授受可能化条件を設けた場合の、当該音声授受可能化条件の例を表す図である。
【０１４２】
図１１に表す例においては、識別情報１＃に対応する電話番号０３ＸＸＸＸＸＸＸと、識別情報２＃に対応する電話番号０５０ＸＸＸＸＸＸ１については、音声授受可能化条件が定められていない。そのため、通信装置１４６が受けた前述の第二の発信情報に含まれる発信先電話番号が、０３ＸＸＸＸＸＸＸ又は０５０ＸＸＸＸＸＸ１の場合は、特に条件がなく、いずれの時間に前記第二の発信情報を受けても、前述の音声授受可能化を行う。
【０１４３】
一方、識別情報３＃に対応する電話番号０５０ＸＸＸＸＸＸ２については、音声授受可能化条件として１７：００から８：００を除くという条件が設定されている。そのため、通信装置１４６が１７：００から８：００を除く時間帯に前記第二の発信情報を受けた場合に限り、通信装置１４６は前記音声授受可能化を行う。
【０１４４】
また、識別情報４＃に対応する電話番号０５０ＸＸＸＸＸＸ３については、音声授受可能化条件として土曜日と日曜日を除くという条件が設定されている。そのため、通信装置１４６が土曜日と日曜日を除く日に前記第二の発信情報を受けた場合に限り、通信装置１４６は前記音声授受可能化を行う。
【０１４５】
ここで、通信装置１４６が行う発信について図１１に表す音声授受可能化条件を適用するか否かについては任意である。通信装置１４６は、図１１に表す音声授受可能化条件に拘わらず、電話番号０５０ＸＸＸＸＸＸ２又は０５０ＸＸＸＸＸＸ３を発信元電話番号としての発信（前述の第一の発信情報の送信）を可能にしても構わない。
【０１４６】
図１１に表す音声授受可能化の条件設定は一例であり、設定される条件としては様々な条件が想定され得る。また、発信による通話と着信による通話とで異なる条件設定を行っても構わない。
【０１４７】
図１２は、図１１に表す音声授受可能化条件が設定された場合の、通信装置１４６の着信関連動作例を表すイメージ図である。
【０１４８】
ＩＰ電話網１５１に接続された電話機１６２から、１８時に、電話番号０５０ＸＸＸＸＸＸ２に向けて発信が行われたとする。すると前述の基地局から通信装置１４６へ前述の第二の発信情報が送付される。
【０１４９】
当該第二の発信情報が通信装置１４６に到着後、通信装置１４６は、当該第二の発信情報に含まれる発信先電話番号について、図１１に表す通信可能化条件との照合を行う。そして、通信装置１４６は、当該照合により図１１に表す通信可能化条件に反することを判定する。そして、通信装置１４６は、当該第二の発信情報に係るＩＰ端子１１１と電話端子１４１ａとの間の音声授受可能化は行わない。ただし、通信装置１４６は、通信装置１４６の制御処理部（図２に表す制御処理部１０１参照）と図１に表すＩＰ端子１１１の間の音声授受可能化は行う。そして、通信装置１４６は、ＩＰ端子１１１を介して、ＩＰ電話網１５１を通じて、電話機１６２に対し、電話機１６１ａの利用者との間の通話を可能にできない旨を表すメッセージを表す音声情報を送る。当該メッセージは、例えば、図１２に表すように「ただいまは時間外のためお取次ぎすることができません」というものである。当該音声情報は通信装置１４６の記録部（図２に表す記録部１１２参照）が予め保持する。
【０１５０】
図１１及び図１２に表すように、音声授受可能化の条件を定めた場合は、個別の音声授受可能化条件に応じた各電話番号の利用が可能になる。
［効果］
第二実施形態の通信装置１４６は四つの電話番号を保持している。そして、通信装置１４６は当該四つの電話番号のうち電話機１６１ａにより入力された識別情報に対応するいずれかの電話番号を発信元として発信し、通話可能化を図ることができる。また、通信装置１４６は当該四つの電話番号のいずれを発信先として発信された場合に、着信し、通話可能化を図ることができる。そのため、通信装置１４６は、一台の通信装置により利用者が利用目的（例えば私用か社用（公用）か等）等により四つの電話番号を使い分けることを可能にする。そのため、通信装置１４６は、一台の通信装置を用いた場合における、例えば四つの利用目的に応じた通話料や通信履歴の管理を容易にする。
【０１５１】
そして、第二実施形態の通信装置１４６においては、電話番号ごとに音声授受可能化の条件を定める場合がある。当該場合は、通信装置１４６は、個別の音声授受可能化条件に応じた各電話番号の利用を可能にする。
＜第三実施形態＞
通信装置１４６は、複数の電話端子を備え、当該複数の接続端子により複数の電話機が接続可能であっても構わない。第三実施形態は、接続された複数の電話機により保持する複数の電話番号の使い分けを行う通信装置に関する実施形態である。
【０１５２】
図１３は、二つの電話端子を備える図１に表す通信装置１４６の例である通信装置１４６ｂのＩＰ電話網１５１及び電話機１６１ａ及び１６１ｂへの接続の様子を表す図である。通信装置１４６ｂの電話端子１４１ａには電話機１６１ａが、電話端子１４１ｂには電話機１６１ｂが、それぞれ接続されている。
【０１５３】
図１４は、図１３に表す通信装置１４６ｂの構成例を表す概念図である。通信装置１４６ｂは、図２に表す通信装置１４６ａの構成に加えて、音声処理部１３１ｂと電話端子１４１ｂとを備える。電話機１６１ａ及び電話機１６１ｂの各々には、図１５に表すように、各々異なる二台の電話機が接続され得る。そして、電話端子１４１ａと制御処理部１０１との間の音声情報に関する処理は音声処理部１３１ａにおいて行われる。また、電話端子１４１ｂと制御処理部１０１との間の音声情報に関する処理は音声処理部１３１ｂにおいて行われる。
【０１５４】
図１３及び図１４に表すように本実施形態の通信装置に二台の電話機を接続可能にした場合には、二台の電話機により通信装置１４６ｂが備える複数の電話番号を使い分けることが可能になる。  また、図１３及び図１４に表す通信装置１４６ｂは、複数の電話機を接続することにより、一台の電話機が使用中の場合でも、他の電話機により通話を行うことを可能にし得る。さらに、通信装置１４６ｂは、一つの電話番号が使用中の場合でも、他の電話機により他の電話番号による通話を行うことを可能にし得る。
【０１５５】
上記は、制御処理部１０１に処理を実行させるためのプログラムの構成を、上記動作が可能な構成にすることにより実現できる。
【０１５６】
なお、本実施形態の通信装置に接続可能な電話機の数は三台以上であっても構わない。その場合は、三台以上の電話機により通信装置１４６ｂが備える複数の電話番号を使い分けることが可能になる。
【０１５７】
制御処理部１０１は、着信の際に音声授受可能化を行う対象の電話機を、電話番号により制限しても構わない。
【０１５８】
図１６は、着信の際に音声授受可能化を行う対象の電話機の制限の設定例を表す図である。
【０１５９】
図１６に表す設定によると前述の第二の発信情報に含まれる発信先電話番号が０３ＸＸＸＸＸＸＸの場合、図１５に表すＩＰ端子１１１との間で音声授受可能化を行う電話端子は電話端子１４１ａに制限される。これにより、電話機１６２が発信先電話番号を０３ＸＸＸＸＸＸＸとする第二の発信情報を通信装置１４６ｂが送付した場合、電話機１６１ａのみが、電話機１６２との間で通話が可能になる。
【０１６０】
また、図１６に表す条件によると前述の第二の発信情報に含まれる発信先電話番号が０５０ＸＸＸＸＸＸ１の場合、図１５に表すＩＰ端子１１１との間で音声授受可能化を行う電話端子は電話端子１４１ａと１４１ｂの両方である。これにより、電話機１６２が発信先電話番号を０５０ＸＸＸＸＸＸ１とする第二の発信情報を通信装置１４６ｂが送付した場合、電話機１６１ａと１６１ｂの双方が、電話機１６２との間で通話が可能になる。当該場合において、電話機１６１ａ及び１６１ｂの双方が同時に電話機１６２との間で通話が可能であっても構わない。また、電話機１６１ａ及び１６１ｂの一方のみが電話機１６２との間で通話が可能であっても構わない。
【０１６１】
また、図１６に表す条件によると前述の第二の発信情報に含まれる発信先電話番号が０５０ＸＸＸＸＸＸ２又は０５０ＸＸＸＸＸＸ３の場合、図１５に表すＩＰ端子１１１との間で音声授受可能化を行う電話端子は電話端子１４１ｂのみに制限される。これにより、電話機１６２が発信先電話番号を０５０ＸＸＸＸＸＸ２又は０５０ＸＸＸＸＸＸ３とする第二の発信情報を通信装置１４６ｂが送付した場合、電話機１６１ｂのみが、電話機１６２との間での通話が可能になる。
図１６に表すように電話番号により音声授受可能化電話機（電話端子）を限定した場合には、電話番号の利用目的による使い分けに応じた電話機の使い分けを行うことができる。さらに、当該場合には、一方の電話機により一つの電話番号による通話を行っている場合にも、他方の電話機により他の電話番号による通話を同時に行うことができる。
【０１６２】
図１６に表す音声授受可能化電話機（電話端子）の設定は一例であり、当該設定は様々な場合が想定され得る。例えば、いずれの電話機によってもいずれの電話番号による通話も行うことが可能になるように設定しても構わない。また、発信による通話と着信による通話とで、異なる音声授受可能化電話機（電話端子）の設定を行っても構わない。
【０１６３】
なお、各電話番号について、図１１に表す音声授受可能化条件と図１６に表す音声授受可能化電話機（電話端子）とを組み合わせても構わない。
［効果］
第三実施形態の通信装置１４６ｂは、接続された複数の電話機により、保持する複数の電話番号の使い分けを行うことを可能にする。そして、電話番号により音声授受可能化電話機（電話端子）を限定した場合には、通信装置１４６ｂは、電話番号の利用目的による使い分けに応じた電話機の使い分けを行うことを可能にする。
【０１６４】
以上説明したように、第一乃至第三実施形態の通信装置は、いずれも、複数の電話番号を保持している。そして、電話機により入力された識別情報に対応する電話番号を発信元として発信し又は当該電話番号を発信先として着信することができる。そのため、一台の通信装置により利用者が利用目的により複数の電話番号を使い分けることが可能になる。そして、当該通信装置は、通話料や通信履歴等の通話に付帯する情報の利用目的に応じた管理を容易にする。
【０１６５】
そして、本実施形態の通信装置は、電話機ではなく電話機を接続する通信装置が複数の電話番号を保持する。そのため、当該通信装置に複数の電話機を接続した場合には、複数の電話機により複数の電話番号を使い分けることが可能である。
【０１６６】
図１７は、本発明の最小限の通信装置である通信装置１４６ｘの構成を表すブロック図である。
【０１６７】
通信装置１４６ｘは、保持部１１２ｘと処理部１０１ｘとを備える。
【０１６８】
保持部１１２ｘは、複数の電話番号を保持する。
【０１６９】
処理部１０１ｘは、第一の通信可能化と第二の通信可能化とを行う。
【０１７０】
前記第一の通信可能化は、図示しない電話機から入力された発信先電話番号の発信先への発信を行うことにより、前記電話機と前記発信先との間の音声情報の授受を可能にする処理である。前記発信先への発信は、前記電話機から入力された識別情報から特定を行った電話番号により行われる。
【０１７１】
また、前記第二の通話可能化は、発信元からの前記複数の電話番号のうちの一つへの着信により、前記発信元と前記電話機との間の音声情報の授受を可能にする処理である。
【０１７２】
通信装置１４６ｘは複数の電話番号を保持している。そして、前記電話機により入力された識別情報に対応する電話番号を発信元として発信し又は当該電話番号を発信先として着信することができる。そのため、通信装置１４６ｘは、一台の通信装置により利用者が複数の電話番号を使い分けることを可能にする。
【０１７３】
そして、通信装置１４６ｘは、電話機ではなく電話機を接続する通信装置１４６ｘが複数の電話番号を保持する。そのため、通信装置１４６ｘに複数の電話機を接続した場合には、複数の電話機により複数の電話番号を使い分けることが可能である。
【０１７４】
そのため、判定装置１３６ｘは、前記構成により、［発明の効果］の項に記載した効果を奏する。
【０１７５】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【０１７６】
また、前記の実施形態の一部又は全部は、以下の付記のようにも記述され得るが、以下には限られない。
【０１７７】
（付記Ａ１）
複数の電話番号を保持する保持部と、処理部とを備え、
前記処理部は、
電話機から入力された識別情報から特定を行った電話番号により、前記電話機から入力された発信先電話番号の発信先への発信を行うことにより、前記電話機と前記発信先との間の音声情報の授受を可能にする第一の通話可能化と、
発信元からの前記複数の電話番号のうちの一つへの着信により、前記発信元と前記電話機との間の音声情報の授受を可能にする第二の通話可能化と
を行う、通信装置。
【０１７８】
（付記Ａ２）
前記複数の電話番号の各々と前記識別情報との対応を表す情報を保持し、前記電話機から入力された前記識別情報を、前記対応を表す情報に照会することにより前記特定を行う、
付記Ａ１に記載された通信装置。
【０１７９】
（付記Ａ３）
前記複数が三以上である、付記Ａ１又は付記Ａ２に記載された通信装置。
【０１８０】
（付記Ａ４）
前記発信先電話番号を表す情報を出力する出力部をさらに備える、付記Ａ１乃至付記Ａ３のうちのいずれか一に記載された通信装置。
【０１８１】
（付記Ａ５）
前記出力部が、前記特定を行った電話番号を表す情報を前記発信先電話番号と組み合わせた情報を含むナンバーディスプレイ用の信号を前記電話機に送付する、付記Ａ４に記載された通信装置。
【０１８２】
（付記Ａ６）
前記発信先電話番号を表す情報を表示する表示部をさらに備える、付記Ａ１乃至付記Ａ５のうちのいずれか一に記載された通信装置。
【０１８３】
（付記Ａ７）
前記表示部が、発光により前記発信先電話番号を表す情報を表示する発光部を備える、付記Ａ６に記載された通信装置。
【０１８４】
（付記Ａ８）
前記第二の通話可能化を行わせないための制止情報を入力し得る情報入力部をさらに備える、付記Ａ１乃至付記Ａ７のうちのいずれか一に記載された通信装置。
【０１８５】
（付記Ａ９）
前記情報入力部が、切替えにより制止禁止情報を入力し得るスイッチを備える、付記Ａ８に記載された通信装置。
【０１８６】
（付記Ａ１０）
前記スイッチが外面に設けられたボタンスイッチである、付記Ａ９に記載された通信装置。
【０１８７】
（付記Ａ１１）
前記発信先電話番号について、前記第二の通話可能化を行うための条件を設定し得る、付記Ａ１乃至付記Ａ１０のうちのいずれか一に記載された通信装置。
【０１８８】
（付記Ａ１２）
前記複数の電話番号の各々について、前記第二の通話可能化を行うための条件を設定し得る、付記Ａ１１に記載された通信装置。
【０１８９】
（付記Ａ１３）
前記第二の通話可能化を行わない場合に、前記発信元に対しメッセージを送付する、付記Ａ１１又は付記Ａ１２に記載された通信装置。
【０１９０】
（付記Ａ１４）
二台以上の前記電話機を接続し得る、付記Ａ１乃至付記Ａ１３のうちのいずれか一に記載された通信装置。
【０１９１】
（付記Ａ１５）
前記複数の電話番号の各々について、前記電話機のうちの前記第二の通話可能化を行うものを設定し得る、付記Ａ１乃至付記Ａ１４のうちのいずれか一に記載された通信装置。
【０１９２】
（付記Ａ１６）
前記発信先への発信が、ＩＰ電話網を介しての前記発信先への発信である、付記Ａ１乃至付記Ａ１５のうちのいずれか一に記載された通信装置。
【０１９３】
（付記Ａ１７）
前記複数の電話番号のうちの一つ宛てへの発信が、ＩＰ電話網を介しての発信である、付記Ａ１乃至付記Ａ１６のうちのいずれか一に記載された通信装置。
【０１９４】
（付記Ａ１８）
前記第一の通話可能化が、ＩＰ電話網を介しての通話可能化である、付記Ａ１乃至付記Ａ１７のうちのいずれか一に記載された通信装置。
【０１９５】
（付記Ａ１９）
前記第二の通話可能化が、ＩＰ電話網を介しての通話可能化である、付記Ａ１乃至付記Ａ１８のうちのいずれか一に記載された通信装置。
【０１９６】
（付記Ａ２０）
前記電話機をさらに備える、付記Ａ１乃至付記Ａ２０のうちのいずれか一に記載された通信装置。
【符号の説明】
【０１９７】
１０１    制御処理部
１０１ｘ    処理部
１０６、１０６ａ    表示部
１０７ａ、１０７ｂ    発光部
１０８    通話拒否ボタン
１１１    ＩＰ端子
１１２    記録部
１１２ｘ    保持部
１１６    ＩＰ処理部
１３１ａ、１３１ｂ    音声処理部
１３６    ＬＡＮ端子
１４１ａ、１４１ｂ    電話端子
１４６、１４６ａ、１４６ｂ、１４６ｘ    通信装置
１５１    ＩＰ電話網
１６１ａ、１６１ｂ、１６２    電話機
１６６    ナンバーディスプレイ
【図１】
2018110349.tif 000003
【図２】
2018110349.tif 000004
【図３】
2018110349.tif 000005
【図４】
2018110349.tif 000006
【図５】
2018110349.tif 000007
【図６】
2018110349.tif 000008
【図７】
2018110349.tif 000009
【図８】
2018110349.tif 000010
【図９】
2018110349.tif 000011
【図１０】
2018110349.tif 000012
【図１１】
2018110349.tif 000013
【図１２】
2018110349.tif 000014
【図１３】
2018110349.tif 000015
【図１４】
2018110349.tif 000016
【図１５】
2018110349.tif 000017
【図１６】
2018110349.tif 000018
【図１７】
2018110349.tif 000019